(57)【要約】【課題】夜間の安全性を損なうことなく、着心地やデザイン性、更にファッション性も考慮して、昼間或いは室内照明の下で織物を見た場合に再帰反射糸が目立ち難く、違和感が生じることのない再帰反射織物及び当該織物を用いた再帰反射衣服を提供する。【解決手段】経糸及び／又は緯糸に互いに色彩の異なる複数の先染糸を織り分けることで構成される縞模様或いは格子模様を有する織物であって、これらの縞模様或いは格子模様の境界部の全部又は一部において、当該境界部を形成する一方の先染糸と他方の先染糸の間に、これらの先染糸に並行に再帰反射糸を織り込んでおり、少なくとも一方の先染糸と再帰反射糸との表色系（Ｌ*ａ*ｂ*）における色差（ΔＥ*ａｂ）の値が２０以下となるようにする。【選択図】図２
2011256518.tif 000002
【特許請求の範囲】
【請求項１】
経糸及び／又は緯糸に互いに色彩の異なる複数の先染糸を織り分けることで構成される縞模様或いは格子模様を有する織物であって、
前記縞模様或いは前記格子模様の境界部の全部又は一部において、当該境界部を形成する一方の先染糸と他方の先染糸の間に、これらの先染糸に並行に再帰反射糸を織り込んでおり、
少なくとも前記一方の先染糸と前記再帰反射糸との表色系（Ｌ*ａ*ｂ*）における色差（ΔＥ*ａｂ）の値が２０以下である再帰反射織物。
【請求項２】
前記他方の先染糸と前記再帰反射糸との表色系（Ｌ*ａ*ｂ*）における色差（ΔＥ*ａｂ）の値が４５以上であることを特徴とする請求項１に記載の再帰反射織物。
【請求項３】
請求項１又は２に記載の再帰反射織物を用いた再帰反射衣服。
【発明の詳細な説明】
【技術分野】
【０００１】
本発明は、再帰反射糸を織り込んだ再帰反射織物及び当該織物を用いた再帰反射衣服に関するものである。
【背景技術】
【０００２】
従来から夜間の作業者や交通整理の警察官の安全を確保するために、自動車のヘッドライトで反射する再帰反射衣服が使用されている。これらの再帰反射衣服は、織物の表面に高屈折率の透明微小ガラス球をコーティングし、或いは、作業着に別途作成した再帰反射シートを貼付したものであり、あくまでも安全のみを重視し着心地やデザイン性には配慮が払われていない。
【０００３】
しかし、夜間の作業だけでなく、夜間の外出や犬の散歩など一般の衣料としても再帰反射衣服が必要とされている。そこで、着心地やデザイン性を考慮して、再帰反射フィルムをマイクロスリッターで細断したスリットヤーンや、このスリットヤーンを芯部にしてポリエステルフィラメントでカバリングしたカバリングヤーンを再帰反射糸とし、これらの再帰反射糸を織り込んだ再帰反射布帛及び再帰反射衣服が下記特許文献１に提案されている。
【先行技術文献】
【特許文献】
【０００４】
【特許文献１】特開２００３−２０５３５号公報
【発明の概要】
【発明が解決しようとする課題】
【０００５】
ところで、上記のような再帰反射布帛では、例えば、濃色の織物に再帰反射糸を織り込んだ場合、当該再帰反射糸が淡色であれば、昼間或いは室内照明の下で織物を見た場合には、織物の中に織り込まれた再帰反射糸が目立ち、ファッション性の観点からは違和感が生じる。一方、再帰反射糸を任意の色彩に染色することも不可能ではないが、再帰反射性能が低下し、或いは多品種製造によるコストアップにつながり現実的でない。
【０００６】
そこで、本発明は、以上のようなことに対処して、夜間の安全性を損なうことなく、着心地やデザイン性、更にファッション性も考慮して、昼間或いは室内照明の下で織物を見た場合に再帰反射糸が目立ち難く、違和感が生じることのない再帰反射織物及び当該織物を用いた再帰反射衣服を提供することを目的とする。
【課題を解決するための手段】
【０００７】
上記課題の解決にあたり、本発明者は、鋭意研究の結果、縞模様或いは格子模様の織物の模様の境界部に再帰反射糸を織り込むことにより、昼間或いは室内照明の下で織物を見た場合にも再帰反射糸が目立ち難く、逆に、夜間には再帰反射性能が十分に発揮されて目立ちやすい織物を見出し本発明の完成に至った。
【０００８】
即ち、本発明に係る再帰反射織物は、請求項１の記載によると、
経糸及び／又は緯糸に互いに色彩の異なる複数の先染糸を織り分けることで構成される縞模様或いは格子模様を有する織物であって、
上記縞模様或いは上記格子模様の境界部の全部又は一部において、当該境界部を形成する一方の先染糸と他方の先染糸の間に、これらの先染糸に並行に再帰反射糸を織り込んでおり、
少なくとも上記一方の先染糸と上記再帰反射糸との表色系（Ｌ*ａ*ｂ*）における色差（ΔＥ*ａｂ）の値が２０以下である。
【０００９】
ここで、表色系（Ｌ*ａ*ｂ*）とは、国際照明委員会（ＣＩＥ）で規格化され、我が国においてもＪＩＳ  Ｚ８７２９で採用されている表色系であって、物体の色を表すのに適している。また、この表色系（Ｌ*ａ*ｂ*）における色差（ΔＥ*ａｂ）とは、対象とする２つの物体の色の違いを数値で表すものであって、下記の式であらわされる。
【００１０】
ΔＥ*ａｂ＝〔（ΔＬ*）2＋（Δａ*）2＋（Δｂ*）2〕1/2
この色差（ΔＥ*ａｂ）の値が大きいほど、比較する２つの物体の色が大きく異なることを意味する。
【００１１】
本来、先染糸から構成される縞模様或いは格子模様の織物は、糸の状態で異なる色彩に染色した複数の先染糸を経糸及び緯糸の片方或いは両方に部分的に織り分けることにより、これらの先染糸の境界部が明瞭となり模様を形成するものである。そこで、これらの模様を形成する各先染糸とは異なる糸である再帰反射糸をこの境界部に織り込んでも、本来、境界として目立つ部分であるので再帰反射糸が目立ち難いという特徴がある。更に、少なくとも一方の先染糸と再帰反射糸との色差（ΔＥ*ａｂ）の値が２０以下と小さければ、再帰反射糸が一方の先染糸と区別しにくくなる。このことにより、再帰反射糸は、縞模様或いは格子模様の境界部において、更に目立ち難くなる。
【００１２】
よって、請求項１に記載の発明によれば、夜間の安全性を損なうことなく、着心地やデザイン性、更にファッション性も考慮して、昼間或いは室内照明の下で織物を見た場合に再帰反射糸が目立ち難く、違和感が生じることのない再帰反射織物を提供することができる。
【００１３】
また、本発明は、請求項２の記載によると、請求項１に記載の再帰反射織物であって、
上記他方の先染糸と上記再帰反射糸との表色系（Ｌ*ａ*ｂ*）における色差（ΔＥ*ａｂ）の値が４５以上であることを特徴とする。
【００１４】
上記構成によれば、他方の先染糸と再帰反射糸との色差（ΔＥ*ａｂ）の値が大きく、再帰反射糸が他方の先染糸とは区別しやすいことを意味する。このように、再帰反射糸は、一方の先染糸と色差が小さく、他方の先染糸と色差が大きいことになる。このとき、一方の先染糸と他方の先染糸との色差は、かなり大きなものとなり、縞模様或いは格子模様は、より明瞭な境界部を形成している。このことにより、再帰反射糸は、一方の先染糸の一部のように見えることで、縞模様或いは格子模様の明瞭な境界部において、より一層目立ち難くなる。
【００１５】
よって、請求項２に記載の発明によれば、請求項１と同様の作用効果をより一層達成することができる。
【００１６】
また、本発明に係る再帰反射衣服は、請求項３の記載によると、請求項１又は２に記載の再帰反射織物を用いている。
【００１７】
上記構成によれば、夜間の安全性を損なうことなく、着心地やデザイン性、更にファッション性も考慮して、昼間或いは室内照明の下で織物を見た場合に再帰反射糸が目立ち難く、違和感が生じることのない再帰反射衣服を提供することができる。
【図面の簡単な説明】
【００１８】
【図１】本発明に係る再帰反射織物の第１実施形態を示す平面図である。
【図２】図１に示す部分Ａの拡大図である。
【図３】本発明に係る再帰反射織物の第２実施形態を示す平面図である。
【図４】図３に示す部分Ｂの拡大図である。
【発明を実施するための形態】
【００１９】
本発明において、再帰反射糸は、どのようなものを使用してもよい。例えば、アルミニウム蒸着ポリエステルフィルムなどの片面或いは両面に高屈折率の透明微小ガラス球を透明樹脂バインダーで固定してなる再帰反射フィルムをマイクロスリッターで細断し、これを撚ってスリットヤーンとして使用してもよく、また、このスリットヤーンの強度を補強するために、ポリエステルフィラメント糸などでカバリングしたカバリングヤーンを使用するようにしてもよい。また、再帰反射糸の太さもどのようなものであってもよく、織物を構成する他の先染糸と異なる太さの糸を使用するようにしてもよい。
【００２０】
また、本発明において、先染糸とは、織物を織布する前の糸の段階で染色した織糸であって、糸の太さや繊維の種類は、どのような糸であってもよい。例えば、綿、麻、絹、毛などの天然繊維、レーヨン、ポリノジック、キュプラ、テンセルなどの再生繊維、ジアセテート、トリアセテートなどの半合成繊維、或いは、ポリエステル、ナイロン、アクリルなどの合成繊維の単独繊維或いは複合繊維からなる糸であってもよい。先染めは、各繊維に適した染料及び染法で行うようにすればよい。
【００２１】
本発明において、織物の織組織はどのようなものでもよく、例えば、平織り、綾織り、朱子織り或いは各種変化織り、二重織りなどであってもよい。これらの織物を織る織機は、どのようなものであってもよく、シャトル織機、ジェット織機、スルザー織機、レピア織機などであってもよい。
【００２２】
本発明においては、再帰反射糸は、経糸或いは緯糸のいずれにも使用できる。経糸に使用する場合には、織機の開口運動において隣り合う糸と擦れて再帰反射性能が低下しないようにしなければならない。その点、緯糸に使用することが好ましい。
【００２３】
本発明に係る織物は、縞模様或いは格子模様を有している。縞模様は、縦縞、横縞いずれであってもよく、縞の太さに変化があってもよく、また、色彩の異なる縞を複数有するような縞模様であってもよい。一方、格子模様は、格子の大きさ、縦縞と横縞の数と組み合わせ、色彩などに変化があってもよい。縞模様や格子模様に変化がある場合であっても、模様の全ての境界部に再帰反射糸を織り込むようにしてもよく、或いは、境界部の一部に再帰反射糸を織り込むようにしてもよい。いずれの場合にも、夜間に再帰反射性能が十分に発揮されるだけの再帰反射糸の量は織り込む必要がある。
【００２４】
また、一か所の境界部に織り込む再帰反射糸の本数は、再帰反射糸の太さと再帰反射性能によって調整すればよく、特に限定するものではないが、多くの本数を一か所に織り込むと再帰反射糸が目立つこととなる。従って、再帰反射糸は、一か所に１本或いは数本織り込むことが適切である。
【００２５】
以下、本発明に係る再帰反射織物を各実施形態により説明する。
（第１実施形態）
まず、再帰反射糸を準備した。本第１実施形態においては、株式会社丸仁のカバリング糸からなる再帰反射糸（ＬＦＵＹ１２００−Ｔ０２７５）を使用した。また、経糸及び緯糸に使用する先染糸を準備した。準備した先染糸は、１３種類であり、それぞれの先染糸の色、素材、糸の太さを表１に示す。なお、表１の素材において、各記号は、Ｃ：綿、Ｗ：毛、Ｔ：ポリエステル、Ｒ：レーヨンを表す。糸の太さは、番手で示し、一部のフィラメント糸のみＤ（デニール）で示した。
【００２６】
次に、再帰反射糸及び各先染糸それぞれについて、表色系（Ｌ*ａ*ｂ*）による測色を行った。まず、それぞれの糸を小平板に巻き取って一定の測色面積を有する各測色サンプルを作成した。各測色サンプルに対して、積分球を備えた分光測色計（ＭＩＮＯＬＴＡ  ＳＰＥＣＴＲＯＰＨＯＴＯＭＥＴＥＲ  ＣＭ３６００Ｄ）を使用して測色し、再帰反射糸と各先染糸のＬ*値、ａ*値、ｂ*値の各値を求め、再帰反射糸と各先染糸との色差（ΔＥ*ａｂ）を計算した。計算して求めた各色差（ΔＥ*ａｂ）の値を表１に示す。
【表１】
2011256518.tif 000003
ここで、本第１実施形態の再帰反射織物を図面によって説明する。図１は、本第１実施形態の再帰反射織物であって、レピア織機で織り上げた平織りの横縞模様の織物１０の平面図を示している。濃色の横縞部２０には、濃色の緯糸を使用し、横縞部２０と他の横縞部２０の間の淡色部３０には、淡色の緯糸を使用した。一方、経糸には、全体に亘って淡色の緯糸と同じ色彩の淡色の経糸を使用した。
【００２７】
各横縞部２０の上下両側が淡色部３０と接する境界部４０には、それぞれ、１本の緯糸として再帰反射糸が使用されているが、図１においては、確認することができない。そこで、図１の部分Ａを拡大して図２に示す。図２においては、横縞部２０を構成する濃色の緯糸２１と淡色部３０を構成する淡色の緯糸３１との境界部４０に１本の再帰反射糸４１が緯糸として使用されている。一方、経糸には、全体に亘って淡色の緯糸３１と同じ色彩の淡色の経糸５１が使用されている。
【００２８】
次に、表１に示した再帰反射糸と各先染糸とを組み合わせて、実施例１〜６及び比較例１〜３の各再帰反射織物を織布した。織布した各再帰反射織物の経糸及び緯糸に使用した先染糸の番号（表１に示した番号）、並びに、再帰反射糸と各先染糸との色差（ΔＥ*ａｂ）の値を表２に示した。
【００２９】
また、各実施例及び各比較例の再帰反射織物に対して、再帰反射糸の昼間の目立ち難さ及び夜間の再帰反射性能を評価した。まず、昼間の目立ち難さの評価は、次のようにして行った。昼間の北窓光の下で目視評価を行い、再帰反射糸が目立たないものを◎、目立ち難いものを○、明らかに目立つものを×として評価し表２に示した。この評価において、◎と○を合格とした。
【００３０】
次に、夜間の再帰反射性能の評価は、次のようにして行った。夜間３０ｍ離れた位置から自動車のヘッドライトを当て、再帰反射性能を十分に発揮するものを○、再帰反射性能が不十分のものを×として表２に示した。
【表２】
2011256518.tif 000004
表２から分かるように、実施例１〜６の再帰反射織物においては、再帰反射糸の昼間の目立ち難さは、いずれも良好であり、また、夜間の再帰反射性能も良好であった。これらの実施例では、再帰反射糸と淡色糸との色差（ΔＥ*ａｂ）の値は、いずれも、２０以下であった。また、実施例１〜５の再帰反射織物においては、再帰反射糸の昼間の目立ち難さは、いずれも◎の評価であり、特に良好であった。これらの実施例では、再帰反射糸と淡色糸との色差（ΔＥ*ａｂ）の値が２０以下であることに加え、再帰反射糸と濃色糸との色差（ΔＥ*ａｂ）の値が、いずれも、４５以上であった。
【００３１】
一方、比較例１〜３の再帰反射織物においては、いずれも、夜間の再帰反射性能は良好であったが、再帰反射糸の昼間の目立ち難さは、いずれも、明らかに目立つものであり不良であった。比較例１では、再帰反射糸と緯糸に使用した２種類の先染糸の色差（ΔＥ*ａｂ）の値が、いずれも２０より大きな値であり、いずれの先染糸に対しても再帰反射糸が目立ち易いからである。また、比較例２及び３では、緯糸に使用した２種の先染糸は同じ糸であり、無地織物と同様で更に目立ち易いからである。
（第２実施形態）
次に、本発明に係る再帰反射織物の第２実施形態について説明する。まず、使用する再帰反射糸及び経糸及び緯糸に使用する先染糸は、上記第１実施形態において準備したものと同じ糸を使用した。
【００３２】
図３は、本第２実施形態の再帰反射織物であって、レピア織機で織り上げた平織りの格子模様の織物１００の平面図を示している。この格子模様の織物１００は、図３に示される範囲においては、３本の濃色の横縞部１１０と３本の濃色の縦縞部１２０とこれらの間に形成される淡色部１３０とから構成されている。濃色の横縞部１１０には、濃色の緯糸が使用され、濃色の縦縞部１２０には、横縞部１１０と同じ色彩の濃色の経糸が使用されている。一方、淡色部１３０には、淡色の緯糸とこれと同じ色彩の淡色の経糸が使用されている。
【００３３】
各横縞部１１０の下辺側が淡色部１３０と接する境界部１４０には、それぞれ、１本の緯糸として再帰反射糸が使用されているが、図３においては、確認することができない。そこで、図３の部分Ｂを拡大して図４に示す。図４においては、横縞部１１０を構成する濃色の緯糸１１１と淡色部１３０を構成する淡色の緯糸１３１との境界部１４０に１本の再帰反射糸１４１が緯糸として使用されている。一方、経糸においては、縦縞部１２０を構成する濃色の経糸１２１と淡色部１３０を構成する淡色の経糸１３２とが使用されている。
【００３４】
次に、表１に示した再帰反射糸と各先染糸とを組み合わせて、実施例７及び８の再帰反射織物を織布した。なお、実施例７及び８においては、濃色の緯糸１１１と濃色の経糸１２１とに同じ先染糸を使用し、また、淡色の緯糸１３１と淡色の経糸１３２とに同じ先染糸を使用した。織布した各再帰反射織物に使用した先染糸の番号（表１に示した番号）、並びに、再帰反射糸と各先染糸との色差（ΔＥ*ａｂ）の値を表３に示した。
【００３５】
また、実施例７及び８の再帰反射織物に対して、再帰反射糸の昼間の目立ち難さ及び夜間の再帰反射性能を評価して表３に示した。評価は、上記実施例１〜６について行った方法と同じである。
【表３】
2011256518.tif 000005
表３から分かるように、実施例７及び８の再帰反射織物においては、再帰反射糸の昼間の目立ち難さは、いずれも◎の評価であり、特に良好であった。これらの実施例では、再帰反射糸と淡色糸との色差（ΔＥ*ａｂ）の値が２０以下であることに加え、再帰反射糸と濃色糸との色差（ΔＥ*ａｂ）の値が、いずれも、４５以上であった。
【００３６】
なお、上記実施例７及び８は、格子模様の再帰反射織物であり、図３において、横縞部１１０と縦縞部１２０との重複部分１５０では、経糸と緯糸の両方に濃色の先染糸１１１、１２１が使用され、部分的に濃色の無地となっている。この部分の下辺側にも再帰反射糸が織り込まれているが、この部分の長さは、横縞部１１０と淡色部１３０との境界部１４０の長さに比べ小さいので、再帰反射糸は、織物全体として目立ち難くなっている。
【００３７】
上述のように、第１実施形態及び第２実施形態においては、夜間の安全性を損なうことなく、着心地やデザイン性、更にファッション性も考慮して、昼間或いは室内照明の下で織物を見た場合に再帰反射糸が目立ち難く、違和感が生じることのない再帰反射織物を提供することができる。
（第３実施形態）
上記第２実施形態において織布した実施例７の再帰反射織物を使用して、ベージュの地色に紺の格子模様を有するベストを縫製した。このベストにおいては、再帰反射糸が織り込まれた緯糸方向をベストの縦方向に使用した。従って、昼間は格子柄のベストであるが、夜間は、縦縞に再帰反射するベストとなった。
【００３８】
本実施形態３で縫製したベストは、昼間或いは室内照明の下で見た場合に再帰反射糸が目立ち難く、着心地やデザイン性に優れ、一般のファッション衣料として着用することができる。一方、夜間においては自動車のヘッドライトで明瞭に再帰反射して夜間の安全を確保することができるので、夜間の外出や犬の散歩など様々な用途に使用することができる。
【００３９】
なお、実施例７の再帰反射織物の緯糸方向をベストの横方向に使用して、夜間は、横縞に再帰反射するベストとすることもできる。また、本発明に係る再帰反射衣服は、本実施形態３のベストに限るものではなく、あらゆる衣服として縫製することができる。
【符号の説明】
【００４０】
１０…横縞模様の織物、２０…横縞部、２１…濃色の緯糸、３０…淡色部、３１…淡色の緯糸、４０…境界部、４１…再帰反射糸、５１…淡色の経糸、１００…格子模様の織物、１１０…横縞部、１１１…濃色の緯糸、１２０…縦縞部、１２１…濃色の経糸、１３０…淡色部、１３１…淡色の緯糸、１３２…淡色の経糸、１４０…境界部、１４１…再帰反射糸。
【図１】
2011256518.tif 000006
【図２】
2011256518.tif 000007
【図３】
2011256518.tif 000008
【図４】
2011256518.tif 000009